(57)【要約】上部開口から下部開口に近づくにつれて径が小さくなるサイクロン型筒状体１０を用い、この筒状体１０の内部で液体を旋回させながら落下させることにより加速し、渦流を発生させる。渦流の中心に粉体を投入し、渦流で包み込ませることにより、両者を混合する。これにより、粉体が筒状体の内壁に接触しないため、筒状体には詰まりが生じない。また、渦流の中心付近が陰圧になり粉体が吸い込まれるため、粉塵もほとんど発生しない。小型で、メンテナンスの費用をかけずに、粉体をスラリー化することのできる混合装置を提供することができる。
2004076042.tif 000002
【特許請求の範囲】
【請求項１】
粉体と液体とを混合する混合装置であって、
上部および下部に開口を備え、該上部開口から下部開口に近づくにつれて内径が小さくなる部分を含むサイクロン型筒状体を有し、
該筒状体の内壁に沿って前記液体を旋回させながら落下させるために、該筒状体の上部側面には、前記液体を前記内壁面の周方向に注入する液体供給口が備えられ、
前記筒状体の前記上部開口は、前記粉体を前記下部開口に向かって投下する投入口として用いられることを特徴とする混合装置。
【請求項２】
粉体を投入する粉体投入管と、液体を供給する液体供給管と、前記粉体投入管から投入された粉体および前記液体供給管から供給された液体を混合する筒状体とを有し、
前記筒状体は、上部および下部に開口を備え、該上部開口から下部開口に近づくにつれて内径が小さくなる部分を含み、
前記粉体投入管は、前記筒状体の上部開口に備えられ、軸方向が前記筒状体の軸方向に略平行であり、
前記液体供給管は、前記筒状体の上部側面に設けられた液体供給口に接続され、その軸方向が前記筒状体の内周面の接線方向に略平行であることを特徴とする混合装置。
【請求項３】
粉体を投入する粉体投入口と、液体を供給する液体供給管と、前記粉体投入口から投入された粉体および前記液体供給管から供給された液体を混合する筒状体とを有し、
前記筒状体は、上部および下部に開口を備え、該上部開口から下部開口に近づくにつれて内径が小さくなる部分を含み、
前記粉体投入口は、前記筒状体の上部開口であり、
前記液体供給管は、前記筒状体の上部側面に設けられた液体供給口に接続され、その軸方向が前記筒状体の接線方向に略平行であることを特徴とする混合装置。
【請求項４】
請求項１ないし３のいずれか１項に記載の混合装置において、前記筒状体は、前記上部開口の近傍は軸方向に内径が一定の円筒であり、前記液体供給口は、前記円筒の側面に設けられていることを特徴とする混合装置。
【請求項５】
請求項１ないし３のいずれか１項に記載の混合装置において、前記筒状体の前記下部開口には、分散管が連結され、前記分散管の内部には、前記粉体を前記液体に分散させる分散手段が配置されていることを特徴とする混合装置。
【請求項６】
請求項５に記載の混合装置において、前記分散手段は、板状部材を十字型に組み合わせた分散板を含むことを特徴とする混合装置。
【請求項７】
請求項２に記載の混合装置において、前記筒状体の上部開口は、蓋部により覆われ、前記粉体投入管は、前記蓋部の中心に挿入されていることを特徴とする混合装置。
【請求項８】
粉体と液体とを混合してスラリー化し、これを貯蔵するスラリー化装置であって、
スラリー貯蔵タンクと、前記スラリー貯蔵タンクの上部に備えられた混合装置とを有し、
前記混合装置は、上記請求項１ないし３のうちいずれか１項に記載のものであることを特徴とするスラリー化装置。
【請求項９】
請求項８に記載のスラリー化装置において、前記筒状体の下部開口には、内部に分散手段を備えた分散管が連結され、該分散管の下部開口は、前記スラリー貯蔵タンクに備えられた開口に挿入されていることを特徴とするスラリー化装置。
【請求項１０】
粉体と液体とを混合する混合方法であって、
上部及び下部に開口を有し、上部開口から下部開口に近づくにつれて内径が小さくなるサイクロン型筒状体の、前記上部開口から粉体を投下するとともに、上部開口近傍において前記筒状体の周方向に液体を噴射し、前記液体を前記筒状体の内壁に沿って旋回させながら落下させて、粉体と液体とを混合する方法。
【請求項１１】
水酸化カルシウム液体を乳化水と混合して水酸化カルシウムスラリーを製造する方法であって、上部及び下部に開口を有し、上部開口から下部開口に近づくにつれて径が小さくなるサイクロン型筒状体の、前記上部開口から水酸化カルシウム粉体を投下するとともに、上部開口近傍において前記筒状体の周方向に乳化水を噴射し、前記筒状体の内壁に沿って乳化水を旋回させながら落下させて、粉体と液体とを混合し、水酸化カルシウムスラリーを製造する方法。
【発明の詳細な説明】
【技術分野】  本発明は、粉体と液体とを混合する混合装置に関するものである。
【背景技術】  生石灰や消石灰と水とを混合して得られる石灰スラリーは、酸性ガスの除去、排水の中和等工業的に広く使用されている。また、水酸化マグネシウムや酸化マグネシウム、水酸化カルシウム等の粉体を水と混合してスラリー化したものを、排煙脱硫吸着剤や排水中和剤等として用いることが知られている。また、消石灰スラリーを原料として、紙コーティング材として優れた物性を示す所望の結晶系の炭酸カルシウムを製造する方法が特公昭５５−５１８５２号公報、特許第２７０６３８４号公報に記載されている。
通常、生石灰や消石灰等の粉体と、水等の液体とを混合してスラリーを製造する際には、水等の液体を蓄えた溶解槽に上部から粉体を直接投入する方法が用いられる。この方法は、溶解槽に粉体を投入する際に粉体が舞い上がり、粉塵となって周囲に著しく広がる。このため、通常は、溶解槽を密閉するとともに、溶解槽の上部に大型の集塵フィルタ装置を備え、粉塵を吸引してフィルタで集めるようにしている。
このように直接粉体を投入する方法は、生じる粉塵量が多いため、集塵フィルタ装置は大型なものが必要であるとともに、フィルタが目詰まりしやすく、頻繁に洗浄または交換する等のメンテナンスを行う必要がある。また、溶解槽の側壁に粉体の塊が接触して、溶け切れないまま張り付き、いわゆるスケールが生じやすいという問題もある。スラリー中に溶け切れない粉体の固まりが混入し、ダマとなる現象も生じやすい。
特公平５−３５０１３号公報には、粉体を水に投入する際の発塵を防止する素ラリー化装置が開示されている。このスラリー化装置は、スラリー貯蔵タンクと、その脇に連結された、水を蓄えたスラリー化タンクとを有する。スラリー化タンク内には、粉体供給パイプが水面から挿入され、その先端は底部近傍まで達している。粉体は、粉体供給パイプにより圧力をかけて搬送され、先端から水中に噴出される。これにより粉体は、スラリー化タンクの底部近傍で水と混合され、スラリー化される。このように、水の底部で粉体と水とを混合することにより、発塵を抑制することができるというものである。
【発明の開示】
上述のように、溶解槽に直接粉体を投入する方法は、大型の集塵フィルタ装置が必要であり、装置が大型になる。また、集塵フィルタ装置のメンテナンスが必要であるため、メンテナンスのコストがかかる。また、粉体が溶け残り、スケールやダマが生じやすいという問題もある。
一方、上述の特公平５−３５０１３号公報に記載されているスラリー化装置は、スラリー貯蔵タンクとは別に、スラリー化タンクを設置する必要があるため、装置が大型で設置コストがかかるという問題がある。また、スラリー化タンクを稼動後、停止させた場合には、粉体供給パイプの先端や内部に残った粉体が水と接触するため、これらの部分でスケールが生じやすく、次に稼動させる際に問題を引き起こす可能性がある。
本発明の目的は、小型で、メンテナンスの費用をかけずに、粉体をスラリー化することのできる混合装置を提供することを目的とする。
上記目的を達成するために、本発明では、上部開口から下部開口に近づくにつれて径が小さくなる部分を含むサイクロン型筒状体を用い、この筒状体の内部で液体を旋回させながら落下させることにより加速し、渦流を発生させる。渦流の中心に粉体を投入し、渦流で包み込ませることにより、両者を混合する。これにより、粉体が筒状体の内壁に接触しないため、筒状体には詰まりが生じない。また、渦流の中心付近が陰圧になり粉体が吸い込まれるため、粉塵もほとんど発生しない。
具体的には、例えば、筒状体の上部側面に、内壁の周方向に液体を注入する液体供給口を備えた構成とすることができる。液体供給口から供給された液体は、筒状体の内壁に沿って旋回しながら落下する。筒状体の上部には、粉体投入口を備える構成とする。粉体は、粉体投入口から筒状体の軸方向に沿って投入される。
また、例えば、筒状体の上部開口に粉体投入管を配置し、筒状体の上部側面に液体供給管を挿入した構成の混合装置にすることができる。粉体投入管の軸方向は、筒状体の軸方向に略平行に設定され、液体供給管の軸方向は、筒状体の接線方向に略平行に設定される。
この場合、粉体投入管の軸方向は、筒状体の軸方向に完全に平行でなくともよく、筒状体の内壁に粉体が接触しないように、筒状体の中心部に粉体を投下することができればよい。液体供給管の軸方向は、筒状体の接線方向に完全に平行ではなくともよく、筒状体の内壁に沿って液体が旋回するように液体を供給できればよい。
上記混合装置において、筒状体の下部開口に分散管を連結した構成にすることも可能である。分散管の内部には、粉体を液体に分散させる分散手段が配置される。
上記分散手段としては、例えば、板状部材を十字型に組み合わせた分散板を含む構成にすることができる。
上記分散手段の下部には、混合した粉体と液体とを貯蔵するタンクを配置することが可能である。
【図面の簡単な説明】  図１は、本発明の一実施の形態の混合装置１００の全体構成を示す側面図である。
図２は、図１の混合装置１００の断面図である。
図３は、図２の混合装置１００のＡ−Ａ’断面図である。
図４は、本実施の形態の混合装置１００内の粉体と液体の軌跡を示す説明図である。
【発明を実施するための最良の形態】  本発明の一実施の形態の混合装置について図面を用いて説明する。
本実施の形態の混合装置１００は、粉体を液体と混合してスラリー化する装置である。混合装置１００は、図１のようにサイクロン型筒状部１０と、筒状部１０の下部に連結された分散管１１とを有する。サイクロン型筒状部１０は、液体により渦流を発生させ、渦流で粉体を巻き込み混合する部分である。分散管１１は、サイクロン型筒状部１０によって混合された粉体と液体とをさらに混合および分散するための部分である。サイクロン型筒状部１０と分散管１１は、スラリーを貯蔵するスラリータンク３０の上部に、枠台２０により支持されている。分散管１１の下部開口は、スラリータンク３０の上部開口に挿入されている。
サイクロン型筒状部１０の上部には、粉体投入管１３が備えられている。この粉体投入管１３には、粉体搬送ホース４２が連結具４３により接続されている。粉体搬送ホース４２は、粉体搬送パイプ４４を介して粉体搬入車４０のタンク４１に連結されている。粉体搬送車４０に搭載された粉体は、粉体搬送パイプ４４および粉体搬送ホース４２によって搬送され、粉体投入管１３からサイクロン型筒状部１０内へ投入される。
サイクロン型筒状部１０の側面には、液体供給管１２が備えられ、液体供給ホース（不図示）が連結されている。この液体供給管１２からサイクロン型筒状部１０内へ液体が供給される。
投入された粉体と液体は、サイクロン型筒状部１０と分散管１１とを通過する間に、粉体が液体に分散されることによりスラリーとなり、スラリーは、スラリータンク３０内に落下し貯蔵される。
サイクロン型筒状部１０の構造を図２の断面図を用いて具体的に説明する。サイクロン型筒状部１０は、円筒部１０ａと、円筒部１０ａの下部に接続された円錐部１０ｂとを有する。円錐部１０ｂの先端には、分散管１１と直径が等しい下部開口１７が設けられ、連結部１８によって分散管１１の上部開口と連結されている。また、円筒部１０ａの上部開口には、蓋部１５が取り付けられている。蓋部１５の中心には、上述の粉体投入管１３が挿入され固定されている。このとき、粉体投入管１３の中心軸は、サイクロン型筒状部１０の中心軸と一致するように位置合わせされている。
また、上述の液体供給管１２は、図２および図２のＡ−Ａ’断面図である図３に示したように、サイクロン型筒状部１０の円筒部１０ａの外周面上部に取り付けられている。液体供給管１２の軸方向は、円筒部１０ａの内周面の接線方向と平行になるように設定されている。液体供給管１２の先端の形状は、円筒部１０ａの内周面の曲面形状に一致するように加工されている。
一方、分散管１１の内部には、図２および図３に示したように、剛性のある板状部材を十字型に固定した分散板１９ａ、１９ｂが、分散管１１の中心軸に沿って複数段（図２では合わせて６段）固定されている。分散板１９ｂは、板状部材の十字型の向きが分散板１９ａの十字型の向きに対して４５度ずらして固定されている。分散板１９ａと分散板１９ｂとは交互に配置されている。
上述のような構成であるため、図４に示したように、液体供給管１２から供給された液体は、円筒部１０ａの内周面の周方向に沿って流れ込み、内壁に沿って旋回しながら落下し、渦流となる（図４中の符号Ａ）。そして、円錐部１０ｂで径が細くなるに連れて渦流の旋回速度が加速される（図４中の符号Ｂ）。一方、粉体は、サイクロン型筒状部１０の中心部に落下することにより、渦流の中心に巻き込まれ、混合される。サイクロン型筒状部１０で混合された液体と粉体との混合物の流れは、分散管１１の最上段の分散板１９ａに激突する（図４中の符号Ｃ）。これにより、混合物の流れは分散板１９ａによって分割され、十字型に区切られた４つの領域をそれぞれ通り抜けることにより、混合物の液体と粉体とがさらに混合される（図４中の符号Ｄ）。順次、２段目の分散板１９ｂから６段目の分散板１９ｂによって分割され、これを通り抜けることにより、繰り返し分割、混合される。６段目の分散板１９ｂを通過した時点では、粉体は液体中に完全に分散され、スラリー化されている。
なお、サイクロン型筒状部の円筒部１０ａと円錐部１０ｂとの連結部分には、図２、図３のように外周にツバ１６が備えられている。このツバ１６は、枠体２０にサイクロン型筒状部１０を固定するために用いられる。また、サイクロン型筒状部１０の外周面上部には、図１に示したように内部を点検するための点検口１４が設けられている。点検口１４には、開閉可能な蓋が取り付けられている。
つぎに、本実施の形態の混合装置１００の各部の作用について、消石灰（水酸化カルシウム）を水と混合して水酸化カルシウムスラリーにする場合を例に具体的に説明する。
まず、図１のように粉体投入管１３に粉体搬送ホース４２を連結具４３により連結する。粉体搬送車４０は、タンク４１に搭載された消石灰に圧力を加え、粉体搬送パイプ４４に送り出す。消石灰は、粉体搬送パイプ４４および粉体搬送ホース４２によって粉体投入管１３まで搬送される。搬送された消石灰は、粉体投入管１３の先端から図４に示したような軌跡で、サイクロン型筒状部１０の中心軸に沿って落下する。
一方、液体供給管１２には図示していない水供給ホースを接続して、水（乳化水）を供給する。供給された水は、液体供給管１２からサイクロン型筒状部１０の内周面に沿って周方向に注入されるため、図４に示したように内周面に沿って旋回しながら落下していく。水の旋回速度は、サイクロン型筒状部１０の円錐部１０ｂで径が細くなるにつれて加速され、下部開口１７付近で渦流となる。この加速により、サイクロン型筒状部１０の内部は、円錐部１０ｂの中心部が陰圧となるため、中心軸に沿って落下する消石灰は、渦流の中心に吸い込まれるよう落下し、渦流に包み込まれて混合される。また、液体供給管１２から供給する水量が多い場合には、渦流の中心部の水面が、下部開口１７より高い位置にくるため、消石灰が開口部１７に到達する前に渦流に包み込まれて混合される。
このように、渦流と混合された消石灰は、渦流の流速で、下部開口１７から分散管１１に突入し、最上段の分散板１９ａと激突する。この激突により、消石灰と水とがさらに混合される。また、激突した渦流と消石灰は、十字型の分散板により４つの流れに分割され、十字型の分散板で分けられた４つの領域をそれぞれ通過することによりさらに混合される。１段目の分散板１９ａを通過した水と消石灰は、２段目の分散板１９ｂに到達し、１段目の分散板１０ａとは異なる角度に分割されて２段目の分散板１９ｂを通過することにより、さらに混合される。以下、３段目から６段目の分散板１９ａ〜１９ｂを通過するたびに、分割され混合される。これにより、消石灰は水に完全に分散され、スラリーとなる。スラリーは、分散管１１の下部開口から放出され、スラリータンク３０へ落下し貯蔵される。
本実施の形態の混合装置１００は、遠心力分離装置として用いられるサイクロンを模した形状のサイクロン型筒状部１０を用い、水流（液体流）をサイクロン型筒状部１０の内壁に沿って旋回させながら、中心部に消石灰（粉体）を落下させ、開口部１７付近に形成された渦流の中心部に消石灰を巻き込まれる構造としている。よって、消石灰がサイクロン型筒状部１０の内壁に直接触れないため、内壁に消石灰の固まりが張り付くことがなく、詰まりを生じることなくスラリー化することができる。
また、サイクロン型筒状部１０の内壁を旋回する水流は、円錐部１０ｂの先端に向かって加速するため、サイクロン型筒状部１０内の圧力は、下部開口１７付近が陰圧になる。よって、粉体投入管１３から投入される粉体は、陰圧になっている下部開口１７に向かって吸い込まれるため、粉塵がほとんど舞い上がらない。これにより、従来の粉塵を除去するための集塵フィルタ装置は、本実施の形態の混合装置には不要であり、集塵フィルタ装置のメンテナンスも不要である。
また、本実施の形態の混合装置１００は、図１、図２から明らかなように、筒状の単純な構造であるため、容易に、低コストに製造することができる。また、混合装置１００は、小型であるため、スラリータンク３０上に搭載することができ、設置のために場所をスラリータンク３０の脇に別途用意する必要がない。しかも、混合装置１００をスラリータンク３０から取り外すことも容易である。よって、スラリー化のための装置が必要なスラリータンク３０に、混合装置１００を低コストで容易に設置し、必要に応じて取り外すことができる。また、混合装置１００は、上述のように粉体が内壁に接触しない構造であるため、内壁に粉体がこびり付くことがなく、メンテナンスも容易である。
なお、上述の実施の形態の混合装置１００において、液体供給管１２から供給する水量が多い場合には、渦流の流速も大きくなり、サイクロン型筒状部１０内で粉体と完全に混合され、スラリー化される。このような条件で混合する場合には、混合装置１００から分散管１１を取り外し、サイクロン型筒状部１０のみで使用することが可能である。
分散管１１内に配置する分散板１９ａ，１９ｂの形状および配置は、本実施の形態の十字型の形状および配置に限定されるものではなく、所望の形状にすることが可能である。また、分散板１９ａ，１９ｂの数を本実施の形態では６段としているが、スラリー化の状態に合わせて増減することが可能である。
また、上述の実施の形態では、粉体として消石灰（水酸化カルシウム）を、液体として水（乳化水）を用い、水酸化カルシウムスラリーを製造する例について説明したが、本実施の形態の混合装置は、消石灰と水のスラリー化のみに用いられるものではなく、あらゆる粉体と液体とを混合してスラリー化するために用いることができる。例えば、セメント、生石灰、炭酸カルシウム、水酸化マグネシウム、酸化マグネシウム、水酸化カルシウム、粘土性鉱物等の粉体を水等の液体と混合してスラリー化するのに用いることが可能である。
なお、上述の実施の形態では、粉体投入管１３の軸方向をサイクロン型筒状部１０の軸方向に平行に設定しているが、完全に平行でなくともよく、筒状部１０の内壁に粉体が接触しないように、筒状部１０の中心部に粉体を投下することができればよい。また、液体供給管１２の軸方向は、筒状部１０の接線方向に完全に平行でなくともよく、筒状部１０の内壁に沿って液体が旋回するように液体を供給できればよい。
また、上述してきた実施の形態では、粉体投入管１３からサイクロン型筒状部１０に粉体を投入しているが、粉体投入管１３を備えず、蓋部１５の中心に開口のみを設け、この開口から粉体を投入する構成にすることも可能である。この場合、蓋部の開口に、粉体搬送車４１に連結された粉体搬送ホース４２を直接挿入し、粉体を投入することができる。
以下、実施例について説明する。
【実施例１】  実施例として、上記実施の形態の図１、図２に示した構造の混合装置１００を用いて、消石灰粉と乳化水とを混合しスラリー化した。本実施例で用いた混合装置１００の大きさは、サイクロン型筒状部１０の円筒部１０ａが内径３００ｍｍ、長さ６００ｍｍであり、円錐部１０ｂは、下端の内径１５０ｍｍ、長さ４００ｍｍである。液体供給管１２は、円筒部１０ａの上端から３００ｍｍの位置に接続されている。液体供給管１２の内径は８０ｍｍである。また、粉体投入管１３の内径は１００ｍｍである。一方、分散管１１は、内径１５０ｍｍ、長さ８００ｍｍであり、図２に示したように６段の分散板１９ａ、１９ｂを備えている。
粉体投入管１３から消石灰粉を１０〜４０ｔ／ｈで供給しながら、液体供給管１２から水温１〜８５℃の乳化水（工業用水）を２５〜７５ｍ３／ｈで噴射したところ、消石灰粉は、混合装置１００によって乳化水と混合され、溶解濃度２０％以下の水酸化カルシウムスラリーを製造できた。製造されたスラリーは、スラリータンク３０に落下し、貯蔵された。
混合装置１００およびスラリータンク３０からの発塵は認められなかった。また、スラリータンク３０内のスラリーを確認したところ、混合不良による粉体の塊は認められなかった。
【実施例２】  実施例１と同様の混合装置１００を使用し、生石灰粉を１ｔ／ｈで粉体投入管１３から投入しながら、消化水（工業用水）を１７ｍ３／ｈで液体供給管１２から供給した。
生石灰粉は、混合装置１００によって消化水と混合され、懸濁液（スラリー）となってスラリータンク３０に落下した。混合装置１００およびスラリータンク３０からの発塵は認められなかった。スラリータンク３０内の懸濁液（スラリー）についても、混合不良による粉体の塊、ならびに未消化物は認められなかった。
【実施例３】  実施例１と同様の装置を使用し、セメント粉を１０〜８０ｔ／ｈで粉体投入管１３から投入しながら、水温１〜８５℃の溶解水（工業用水）を２５〜７５ｍ３／ｈで液体供給管１２から供給した。セメント粉は、混合装置１００によって溶解水と混合され、スラリーとなってスラリータンク３０に落下した。これにより、溶解濃度５０％以下のスラリーを製造することができた。混合装置１００およびスラリータンク３０からの発塵は認められなかった。スラリータンク３０内の懸濁液（スラリー）についても、混合不良による粉体の塊は認められなかった。
【実施例４】  本実施例４では、粉体貯蔵サイロに貯蔵された粉体（炭酸カルシウム）をスクリュウコンベアによって搬送し、混合装置１００に投入する構造とした。混合装置１００は、実施例１と同様の構成のものを用いた。スクリュウコンベアは、粉体貯蔵サイロから炭酸カルシウム粉を切り出し、混合装置１００の粉体投入管１３の上部まで搬送して投入する。ここでは、炭酸カルシウム粉を２ｔ／ｈで混合装置１００に供給するようにスクリュウコンベアを駆動した。また、混合装置１００の液体供給管１２には、乳化水（工業用水）を１０ｍ３／ｈで供給した。
炭酸カルシウム粉は、混合装置１００によって乳化水と混合され、懸濁液（スラリー）となってスラリータンク３０に落下した。スラリータンク３０には、発塵防止用の集塵機が設置してあるが、それを停止し、スラリータンク３０の上部点検口を開放しても発塵は認められなかった。また、スラリータンク３０の懸濁液（スラリー）についても、混合不良による粉体の塊は認められなかった。
（比較例１）
実施例４で使用した粉体溶解設備から、実施例１の混合装置１００を取り外し、スクリュウコンベアからスラリータンク３０に直接炭酸カルシウム粉を投入するとともに、乳化水を直接溶解槽に供給する構成としたところ、発塵が著しく、溶解槽に取り付けられた集塵機の稼動が必要であった。
【図１】
2004076042.tif 000003
【図２】
2004076042.tif 000004
【図３】
2004076042.tif 000005
【図４】
2004076042.tif 000006
【手続補正書】
【提出日】平成16年12月20日(2004.12.20)
【手続補正００１】
【補正対象書類名】特許請求の範囲
【補正対象項目名】全文
【補正方法】変更
【補正の内容】
【書類名】特許請求の範囲
【請求項１】粉体と液体とを混合する混合装置であって、
上部および下部に開口を備え、該上部開口から下部開口に近づくにつれて内径が小さくなる部分を含む筒状体と、該筒状体の前記下部開口に接続された分散管とを有し、
該筒状体の内壁に沿って前記液体を旋回させながら落下させるために、該筒状体の上部側面には、前記液体を前記内壁面の周方向に注入する液体供給口が備えられ、前記筒状体の前記上部開口は、前記粉体を前記下部開口に向かって投下する投入口として用いられ、
前記分散管の内部には、前記粉体を前記液体に分散させる分散手段が配置されていることを特徴とする混合装置。
【請求項２】（削除）
【請求項３】（削除）
【請求項４】（削除）
【請求項５】（削除）
【請求項６】請求項１に記載の混合装置において、前記分散手段は、２つの板状部材を十字型に組み合わせた分散板を含むことを特徴とする混合装置。
【請求項７】（削除）
【請求項８】（削除）
【請求項９】（削除）
【請求項１０】粉体と液体とを混合してスラリーを製造する方法であって、
上部及び下部に開口を有し、上部開口から下部開口に近づくにつれて内径が小さくなる筒状体の、前記上部開口から粉体を投下するとともに、上部開口近傍において前記筒状体の周方向に液体を噴射し、前記液体を前記筒状体の内壁に沿って旋回させながら落下させて、粉体と液体とを混合し、
得られた混合物の流れを分割することによりさらに混合してスラリー化するスラリー製造方法。
【請求項１１】水酸化カルシウム液体を乳化水と混合して水酸化カルシウムスラリーを製造する方法であって、
上部及び下部に開口を有し、上部開口から下部開口に近づくにつれて径が小さくなる筒状体の、前記上部開口から水酸化カルシウム粉体を投下するとともに、上部開口近傍において前記筒状体の周方向に乳化水を噴射し、前記筒状体の内壁に沿って乳化水を旋回させながら落下させて、粉体と液体とを混合し、  得られた混合物の流れを分割することによりさらに混合してスラリー化する水酸化カルシウムスラリーを製造する方法。
【請求項１２】請求項１に記載の混合装置において、前記分散手段は、前記筒状体から前記分散管に流れ込む前記液体と前記粉体の混合物の流れを分割する手段であることを特徴とする混合装置。
【請求項１３】請求項６に記載の混合装置において、前記分散管の内部には前記分散板が複数配置され、前記複数の分散板は、前記分散管の中心軸に沿って配置されていることを特徴とする混合装置。
【請求項１４】請求項１３に記載の混合装置において、前記複数の分散板は、いずれもそれらを構成する前記板状部材の主平面が前記分散管の中心軸に平行になるように配置され、しかも、前記中心軸に沿って上下に並ぶ前記分散板の十字型の向きが相互にずれていることを特徴とする混合装置。
【請求項１５】請求項１４に記載の混合装置において、前記分散板は、前記分散管内に６段配置されていることを特徴とする混合装置。
【請求項１６】請求項６、１３、１４および１５のいずれか１項に記載の混合装置において、前記分散板を構成する２つの板状部材はそれぞれ、一辺が前記分散管の直径に沿うように配置され、これら２つの板状部材により前記分散管の径方向断面領域を４つの領域に分割していることを特徴とする混合装置。
【請求項１７】請求項８に記載のスラリー化装置において、前記スラリー貯蔵タンクには開口が備えられ、前記混合装置の外周にはつばが備えられ、該分散管の下部開口は、前記スラリー貯蔵タンクに備えられた開口に挿入され、前記混合装置は、前記つばによって前記スラリー貯蔵タンクに固定されていることを特徴とするスラリー化装置。




【国際調査報告】
2004076042.tif 000007
2004076042.tif 000008
2004076042.tif 000009
2004076042.tif 000010
2004076042.tif 000011
2004076042.tif 000012